(57)【要約】【課題】遊技機における前面意匠部分の突出量に左右されることのない使用を図る。【解決手段】球払出口部４が球貸機本体２から前側に引き出されることで、球払出口部４の前側に回転可能に取り付けられた球払出ノズル５と併設された遊技機６における突出量の多い前面意匠部分１２との干渉を防止し、また、球払出口部４が球貸機本体２の内部に押し込まれることで、球払出口部４と球払出ノズル５との回転支持部分８が球貸機本体２の側に近づいて、球払出口部４の前側に回転可能に取り付けられた球払出ノズル５と併設された遊技機６における突出量の少ない前面意匠部分７との干渉を防止することができるので、突出量の多い前面意匠部分１２を備えた遊技機６と突出量の少ない前面意匠部分７を備えた遊技機６との双方で遊技者にとって遊技を行う邪魔となる不都合を解消することができる。【選択図】        図１
2004154312.tif 000002
【特許請求の範囲】
【請求項１】
球貸機本体の内部に球払出機構を備えた台間球貸機において、球貸機本体の前面には球払出機構から払い出された球を球貸機本体の外側に排出する球払出口部が前後方向に引出可能に設けられたことを特徴とする台間球貸機。
【請求項２】
球貸機本体の内部に球払出口部を前後方向に誘導するガイドレールを設けたことを特徴とする請求項１記載の台間球貸機。
【発明の詳細な説明】
【０００１】
【発明の属する技術分野】
本発明は球貸機本体の内部に球払出機構を備えた台間球貸機であって、球払出口部の球貸機本体の前面からの突出量調整構造に関する。
【０００２】
【従来の技術】
従来の球貸機本体の内部に球払出機構を備えた台間球貸機は、球貸機本体の前面に球払出機構から払い出された球を球貸機本体の外側に排出する球払出口部を備え、球払出口部における球貸機本体の前面から外側に突出する部分に球払出ノズルを回転可能に取り付けている（例えば、特許文献１参照）。
【０００３】
【特許文献１】
特開２０００−２２９１７０号公報（第１頁、要約、図３、図４）
【０００４】
【発明が解決しようとする課題】
しかしながら、前記従来例は、球払出口部が球貸機本体に固定的に取り付けられた構造であるため、遊技店における島と呼ばれるような遊技機設置設備に台間球貸機と対に併設される遊技機の関係から使用できないことがあった。その理由は、遊技機が遊技者に訴える前面意匠形状の観点から、遊技機における台間球貸機の球払出口部の周囲に配置される前面部分が前側に極端に突出している場合、遊技機の球を受ける皿の方向に近づけようと、球払出ノズルを回転した場合、球払出口部に球払出ノズルを回転可能に支持する回転支持部分の球貸機本体の前面からの突出量が小さいことから、球払出ノズルが上記遊技機の突出量の多い前面意匠部分に接触し、球払出ノズルの先端が皿の球を受ける部分の真上に配置されないからである。そこで、球払出口部に球払出ノズルを回転可能に支持する回転支持部分の球貸機本体の前面からの突出量を大きくして上記球払出ノズルと遊技機の突出量の多い前面意匠部との接触を解消し、払出ノズルの先端が皿の球を受ける部分の真上に配置できるようにすることも考えられるけれども、球払出口部に球払出ノズルを回転可能に支持する回転支持部分の球貸機本体の前面からの突出量が大きくなると、遊技機における前面意匠部分の突出量が少ない場合には、球払出口部に球払出ノズルを回転可能に支持する回転支持部分や球払出ノズルが遊技者にとって遊技を行う邪魔となることから、にわかに採用しがたいという問題点があった。
【０００５】
そこで、本発明は、遊技機における前面意匠部分の突出量に左右されることなく使用可能な台間球貸機を提供するものである。
【０００６】
【課題を解決するための手段】
本発明にあっては、球貸機本体の内部に球払出機構を備えた台間球貸機において、球貸機本体の前面には球払出機構から払い出された球を球貸機本体の外側に排出する球払出口部が前後方向に引出可能に設けられたことによって、遊技機における球払出口部の周囲に配置される前面意匠部分の突出量が多い場合には、球払出口部が球貸機本体から前側に引き出されることで、球払出口部の前側に回転可能に取り付けられた球払出ノズルと併設された遊技機における突出量の多い前面意匠部分との干渉を防止することができる。また、遊技機における球払出口部の周囲に配置される前面意匠部分の突出量が少ない場合には、球払出口部が球貸機本体の内部に押し込まれることで、球払出口部と球払出ノズルとの回転支持部分が球貸機本体の側に近づいて、球払出口部の前側に回転可能に取り付けられた球払出ノズルと併設された遊技機における突出量の少ない前面意匠部分との干渉を防止することができる。よって、遊技機における球払出口部の周囲に配置される前面意匠部分の突出量に左右されることなく、１つの台間球貸機を使用することができる。また、本発明にあっては、球貸機本体の内部に球払出口部を前後方向に誘導するガイドレールを設ければ、球払出口部の前後方向への移動が直線的で、引出操作や押込操作がよくなる。
【０００７】
【発明の実施の形態】
図１−図３は一実施形態であって、図１は台間球貸機１と遊技機としてのパチンコ機６とをパチンコ店の遊技機設置設備に併設した形態を想定した外観を示し、図２は台間球貸機１の内部の断面を示し、図３は台間球貸機１のガイドレール１５の周りを分解した外観を示す。
【０００８】
図１を参照し、台間球貸機１について説明する。図１のａ図に示すように、台間球貸機１は球貸機本体２の内部に球払出機構３を備え、球貸機本体２の前面には球払出機構３から払い出された球を球貸機本体２の外側に排出する球払出口部４が前後方向に引出可能に設けられ、球貸機本体２の前面に突出した球払出口部４には球払出口部４から排出された球を排出する球払出ノズル５が左右方向および上下方向に回転可能に連結された形態である。そして、台間球貸機１に併設されたパチンコ機６が突出量の少ない前面意匠部分７を備えた場合には、遊技者が球貸機本体２の前面に突出した球払出口部４または球払出ノズル５を前側から後側に押すことで、球払出口部４が球貸機本体２の内部に押し込まれ、球払出口部４に球払出ノズル５を回転可能に支持する回転支持部分８が球貸機本体２の前面の方向に近づいた形態となるので、回転支持部分８や球払出ノズル５が遊技者にとって遊技を行う邪魔となるような不都合は解消することができる。
【０００９】
また、図１のｂ図に示すように、台間球貸機１に併設されたパチンコ機１１が突出量の多い前面意匠部分１２を備えている場合には、遊技者が球貸機本体２の前面に突出した球払出口部４または球払出ノズル５を前側に引き出すことで、球払出口部４が球貸機本体２の内部から引き出され、回転支持部分８が球貸機本体２の前面から前側に離れる方向に遠ざかる形態となるので、球払出ノズル５をパチンコ機１の方向に回転した場合、球払出ノズル５が上記パチンコ機１１の突出した前面意匠部分１２を迂回して、球払出ノズル５の先端を図１のａ図に示す皿１３の球を受ける部分の真上に配置することができる。
【００１０】
図２を参照し、台間球貸機１の球払出口部４周りの内部構造について説明する。球払出口部４は球貸機本体２の内部に固定されたガイドレール１５に前後方向に直線的に引き出し可能に装着される。球払出口部４の後部にはパイプ接続口部１６を備える。パイプ接続口部１６と球払出機構３における払い出される球を計数するために検出する払出球検出部１７よりも下流側の球出口部１８とには可撓性パイプ１９が外嵌装着される。つまり、パイプ接続口部１６と球払出機構３の球出口部１８とが可撓性パイプ１９で接続される。可撓性パイプ１９は蛇腹状であってもなくてもよい。球払出口部４の外側面にはストッパー２１がパイプ接続口部１６よりも前側に位置して設けられる。球払出口部４の内底面２０はパイプ接続口部１６から球払出口部４の内部空間である球通路２０ａに落下した球を回転支持部分８の方向に流下させる傾斜になっている。
【００１１】
球払出口部４が矢印Ｘ１で示す前側に引き出された場合、ストッパー２１が球貸機本体２の前面に球払出口部４を挿入するために形成された貫通孔２２の周りに接触することで、球払出口部４がそれ以上前側に引き出されることがないように、ストッパー２１が球払出口部４の引き出しを規制する。このストッパー２１で球払出口部４の引き出しが規制された場合でも、パイプ接続口部１６周りの可撓性パイプ１９が球貸機本体２から離れているので、可撓性パイプ１９が保護される。ガイドレール１５の後端部にはストッパー２３が設けられる。球払出口部４が矢印Ｘ２で示す後側に押し込まれた場合、ストッパー２３が球払出口部４に接触することで、球払出口部４がそれ以上後側に押し込まれることがないように、ストッパー２３が球払出口部４の押し込みを規制する。このストッパー２３で球払出口部４の押し込みが規制された場合でも、回転支持部分８が球貸機本体２の前面から前側に離れているので、球払出口部４に対する球払出ノズル５の回転操作は適切に保有される。
【００１２】
図３を参照し、ガイドレール１５について説明する。ガイドレール１５は球払出口部４の方形状の外形形状に整合するガイド路２５を左右に相対峙する側壁２６と左右の側壁２６に連接する底壁２７と左右の側壁２６から内側に突出する上壁２８とで囲むように形成（囲み形成）した形態になっている。左右の上壁２８の間に形成された隙間２９は、ガイドレール１５のガイド路２５に球払出口部４を前後方向に移動可能に内接嵌合した場合において、パイプ接続口部１６、パイプ接続口部１６に外接嵌合された可撓性パイプ１９、ストッパー２１を逃げる隙間である。図３において、符号Ｐは球である。
【００１３】
要するに、本実施形態の構造によれば、パチンコ機６における球払出口部４の周囲に配置される前面意匠部分１２の突出量が多い場合には、球払出口部４が球貸機本体２から前側に引き出されることで、球払出口部４の前側に回転可能に取り付けられた球払出ノズル５と併設されたパチンコ機６における突出量の多い前面意匠部分１２との干渉を防止することができる。また、パチンコ機６における球払出口部４の周囲に配置される前面意匠部分７の突出量が少ない場合には、球払出口部４が球貸機本体２の内部に押し込まれることで、球払出口部４と球払出ノズル５との回転支持部分８が球貸機本体２の側に近づいて、球払出口部４の前側に回転可能に取り付けられた球払出ノズル５と併設されたパチンコ機６における突出量の少ない前面意匠部分７との干渉を防止することができる。よって、パチンコ機６における球払出口部４の周囲に配置される前面意匠部分７；１２の突出量に左右されることなく、１つの台間球貸機１を使用することができる。
【図面の簡単な説明】
【図１】一実施形態に係る台間球貸機とパチンコ機とを遊技機設置設備に併設した外観を示し、ａ図は球払出口部が球貸機本体に押し込まれた形態の斜視図、ｂ図は球払出口部が球貸機本体から引き出された形態の斜視図。
【図２】同実施形態に係る台間球貸機の内部を示す断面図。
【図３】同実施形態に係るガイドレールの周りを示す分解斜視図。
【符号の説明】
１  台間球貸機
２  球貸機本体
３  球払出機構
４  球払出口部
【図１】
2004154312.tif 000003
【図２】
2004154312.tif 000004
【図３】
2004154312.tif 000005